(57)【要約】【課題】  高負荷装置の熱交換器における腐食を抑制することのできる循環水式冷却設備及び該循環水式冷却設備の腐食抑制方法を提供すること。【解決手段】  冷却水によって冷却を受ける被冷却装置群と、前記被冷却装置群から戻された冷却水を冷却した後に前記被冷却装置群へと供給する第１冷却器と、を備えた循環水式冷却設備において、前記被冷却装置群の少なくとも一部には、冷却水と被冷却装置との間で熱交換器を介した間接冷却が行われ、熱交換後の冷却水の水温が高温となる高熱負荷装置が含まれ、前記第１冷却器の後段であって且つ前記高熱負荷装置の前段には、少なくとも前記高熱負荷装置へ供給される冷却水を冷却する第２冷却器を備えた循環水式冷却設備。【選択図】図１
2018091608.tif 000002
【特許請求の範囲】
【請求項１】
冷却水によって冷却を受ける被冷却装置群と、前記被冷却装置群から戻された冷却水を冷却した後に前記被冷却装置群へと供給する第１冷却器と、を備えた循環水式冷却設備において、
前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、
前記高熱負荷装置または前記第１冷却器の後段であって且つ前記高熱負荷装置の前段に、前記間接冷却および前記間接冷却後における前記鋼配管の腐食を防止するために冷却条件を変化させる腐食防止部を備えた循環水式冷却設備。
【請求項２】
前記腐食防止部は、前記第１冷却器の後段であって且つ前記高熱負荷装置の前段に配置された、少なくとも前記高熱負荷装置へ供給される冷却水を冷却する第２冷却器である請求項１に記載の循環水式冷却設備。
【請求項３】
前記腐食防止部は、前記第１冷却器の後段であって且つ前記高熱負荷装置の前段に配置された、少なくとも前記高熱負荷装置へ供給される冷却水を加圧する加圧器である請求項１に記載の循環水式冷却設備。
【請求項４】
前記腐食防止部は、前記高熱負荷装置の少なくとも一部である加熱炉における、並列に冷却水が供給される複数のスキッドである請求項１に記載の循環水式冷却設備。
【請求項５】
前記腐食防止部は、さらに、冷却水に含まれる塩素イオン濃度を低下させる脱塩素装置を含む請求項２〜４のいずれかに記載の循環水式冷却設備。
【請求項６】
前記腐食防止部は、鋼配管内の冷却水流速を測定する流速測定部と、前記高熱負荷装置へ供給される冷却水を加圧する加圧器と、前記流速測定部の測定結果に基づいて鋼配管内の冷却水流速が所望の冷却水流速になるように冷却水流量を調整する流量調整部と、冷却水に含まれる塩素イオン濃度を低下させる脱塩素装置と、を有する請求項１に記載の循環水式冷却設備。
【請求項７】
冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、
前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、
前記第１冷却器の後段であって且つ前記高熱負荷装置の前段において、少なくとも前記高熱負荷装置へ供給される冷却水を冷却する循環水式冷却設備の腐食抑制方法。
【請求項８】
冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、
前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、
前記第１冷却器の後段であって且つ前記高熱負荷装置の前段において、少なくとも前記高熱負荷装置へ供給される冷却水を加圧する循環水式冷却設備の腐食抑制方法。
【請求項９】
冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、
前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、
前記高熱負荷装置の少なくとも一部は、加熱炉における複数のスキッドであり、
前記複数のスキッドへそれぞれ並列に冷却水を供給する循環水式冷却設備の腐食抑制方法。
【請求項１０】
冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、
前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、
前記冷却水の塩素イオン濃度が３０ｐｐｍ以下になるように管理する循環水式冷却設備の腐食抑制方法。
【請求項１１】
冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、
前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、
前記冷却水のランゲリア指数を−０．３〜＋０．３の領域で管理する循環水式冷却設備の腐食抑制方法。
【請求項１２】
冷却水の前記冷却は、高熱負荷装置に供給される冷却水の水温を２０〜３０℃の領域で管理する冷却である請求項７に記載の腐食抑制方法。
【請求項１３】
冷却水の前記加圧は、高熱負荷装置に供給される冷却水の冷却水流速を３ｍ／ｓ〜１０ｍ／ｓの範囲に管理する加圧であり、
さらに、高熱負荷装置に供給される冷却水の塩素イオン濃度を３０ｐｐｍ以下の領域で管理する請求項８に記載の腐食抑制方法。
【発明の詳細な説明】
【技術分野】
【０００１】
本発明は、冷却水が高温化しやすい高熱負荷装置の熱交換器における腐食を抑制することのできる循環水式冷却設備、及び該循環水式冷却設備の腐食抑制方法に関する。
【背景技術】
【０００２】
鉄鋼の製造プロセスでは、高温状態のままでミルにより鋼片を成形する圧延工程が行われる。圧延工程の前段では、鋼片を加熱炉に装入して所定の温度まで再加熱することがある。
【０００３】
これらのミルや加熱炉においては、大量の工水が主に設備や鋼板の冷却を目的として用いられている。具体的には、加熱炉の炉体の冷却用、加熱炉内で鋼片を支持するスキッドの冷却用及びミルの冷却用といった用途で工水が用いられている。その他にも、鋼片表面のスケールを除去するデスケーリング用でも工水が用いられている。
【０００４】
加熱炉やスキッドの冷却は、冷却水と熱源とが直接接触することのない間接冷却によって行われる。間接冷却では、冷却水と熱源との間に冷却水配管等の熱交換器が設けられる。間接冷却では、冷却水中の溶存酸素と熱交換器を構成する金属との間で酸化反応等が起こり、経時的に熱交換器の腐食が進行するという問題がある。特に、熱交換器に通水された後の冷却水を、開放式冷却塔等で冷却して再び熱源の冷却用に用いる循環水式冷却設備の場合、開放式冷却塔等において大気中の酸素が冷却水に吸収されるので、前述した熱交換器の腐食はより一層顕著になる。
【０００５】
上記の腐食が進行すると、冷却水配管等の熱交換器に穴あきが生じて水漏れを起こすことがある。水漏れは、冷却水の送水に際して著しいエネルギーロスを引き起こし、ひいては生産性が低下するという問題に繋がる。
【０００６】
また腐食が進行すると、熱交換器の内壁面に錆が蓄積するという問題もある。錆の発生によって熱交換器における熱源の冷却効率が低下し、ひいてはエネルギーロスや生産性の低下といった問題に繋がる。さらに腐食の程度が顕著な場合には、冷却水配管の内径が縮小し、冷却水の流量が低下して冷却能の低下を引き起こし、最悪の場合にはスキッドパイプの内部が完全に閉塞してしまうという問題が起こることもある。
【０００７】
上記問題点に対して、従来からいくつかの対策が提案されている。例えば、特許文献１には冷却水配管の内面に腐食防止膜を付着させる方法が開示されている。特許文献２には冷却水に消石灰を投入してランゲリア指数を制御する方法が開示されている。その他にも、冷却水配管の内面に防食ライニングを施す方法や、冷却水に防食薬剤を添加して冷却水の水質を制御する方法も知られている。
【先行技術文献】
【特許文献】
【０００８】
【特許文献１】特開２０１１−１０６９１４号公報
【特許文献２】特開２０１５−１６８８７５号公報
【非特許文献】
【０００９】
【非特許文献１】木下和夫、外２名、「塩素イオンを含む流動水中におけるポンプ用材料の腐食」、防食技術、１９８３年、ｖｏｌ．３２、Ｎｏ．１、ｐ．３１−３６
【発明の概要】
【発明が解決しようとする課題】
【００１０】
しかし、冷却水配管の内面に腐食防止膜を付着させる方法や、防食ライニングを施す方法では、予め冷却水配管に対して機械加工、めっき処理、又は化学洗浄処理等を実施する必要があり、初期コストが大きいという問題がある。さらに、腐食防止膜や防食ライニングの劣化に伴い防食効果が減少していくので、防食効果を長期間保つことが難しいという問題もある。
【００１１】
また、消石灰を投入して冷却水のランゲリア指数を適正値に管理する方法については、冷却水配管の外面に設けられた断熱層が脱落した場合に、局所的に水温が上昇することになり、水温上昇部近傍の冷却水配管内面に炭酸カルシウムの析出が発生して流路閉塞に到るという問題を引き起こす可能性がある。
【００１２】
さらに、防食薬剤を添加して冷却水の水質を改善する方法は、冷却水の全循環系統の中に製品である鋼板と冷却水とが直接接触する系統を有する場合、薬剤が鋼板の表面品質に悪影響を及ぼすことが懸念されることから、薬剤の使用が制約されるという問題がある。また、薬剤自体のコストが高いという問題もある。
【００１３】
本発明は、上記の問題点に鑑みて想到されたものであり、高熱負荷装置の熱交換器における腐食を抑制することのできる循環水式冷却設備及び該循環水式冷却設備の腐食抑制方法に関する。
【課題を解決するための手段】
【００１４】
本発明の手段は、次の通りである。
【００１５】
［１］冷却水によって冷却を受ける被冷却装置群と、前記被冷却装置群から戻された冷却水を冷却した後に前記被冷却装置群へと供給する第１冷却器と、を備えた循環水式冷却設備において、前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、前記高熱負荷装置または前記第１冷却器の後段であって且つ前記高熱負荷装置の前段に、前記間接冷却および前記間接冷却後における前記鋼配管の腐食を防止するために冷却条件を変化させる腐食防止部を備えた循環水式冷却設備。
【００１６】
［２］前記腐食防止部は、前記第１冷却器の後段であって且つ前記高熱負荷装置の前段に配置された、少なくとも前記高熱負荷装置へ供給される冷却水を冷却する第２冷却器である［１］に記載の循環水式冷却設備。
【００１７】
［３］前記腐食防止部は、前記第１冷却器の後段であって且つ前記高熱負荷装置の前段に配置された、少なくとも前記高熱負荷装置へ供給される冷却水を加圧する加圧器である［１］に記載の循環水式冷却設備。
【００１８】
［４］前記腐食防止部は、前記高熱負荷装置の少なくとも一部である加熱炉における、並列に冷却水が供給される複数のスキッドである［１］に記載の循環水式冷却設備。
【００１９】
［５］前記腐食防止部は、さらに、冷却水に含まれる塩素イオン濃度を低下させる脱塩素装置を含む［２］〜［４］のいずれかに記載の循環水式冷却設備。
【００２０】
［６］前記腐食防止部は、鋼配管内の冷却水流速を測定する流速測定部と、前記高熱負荷装置へ供給される冷却水を加圧する加圧器と、前記流速測定部の測定結果に基づいて鋼配管内の冷却水流速が所望の冷却水流速になるように冷却水流量を調整する流量調整部と、冷却水に含まれる塩素イオン濃度を低下させる脱塩素装置と、を有する［１］に記載の循環水式冷却設備。
【００２１】
［７］冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、前記第１冷却器の後段であって且つ前記高熱負荷装置の前段において、少なくとも前記高熱負荷装置へ供給される冷却水を冷却する循環水式冷却設備の腐食抑制方法。
【００２２】
［８］冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、前記第１冷却器の後段であって且つ前記高熱負荷装置の前段において、少なくとも前記高熱負荷装置へ供給される冷却水を加圧する循環水式冷却設備の腐食抑制方法。
【００２３】
［９］冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、前記高熱負荷装置の少なくとも一部は、加熱炉における複数のスキッドであり、前記複数のスキッドへそれぞれ並列に冷却水を供給する循環水式冷却設備の腐食抑制方法。
【００２４】
［１０］冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、前記冷却水の塩素イオン濃度が３０ｐｐｍ以下になるように管理する循環水式冷却設備の腐食抑制方法。
【００２５】
［１１］冷却水によって冷却を受ける被冷却装置群と、前記被冷却装置群から戻された冷却水を冷却した後に前記被冷却装置群へと供給する第１冷却器と、を備えた循環水式冷却設備の腐食抑制方法であって、前記被冷却装置群の少なくとも一部には、鋼配管を通る冷却水と被冷却装置との間で熱交換器を介した間接冷却が行われ、熱交換後の冷却水の水温が高温となる高熱負荷装置が含まれ、前記冷却水のランゲリア指数を−０．３〜＋０．３の領域で管理する循環水式冷却設備の腐食抑制方法。
【００２６】
［１２］冷却水の前記冷却は、高熱負荷装置に供給される冷却水の水温を２０〜３０℃の領域で管理する冷却である［７］に記載の腐食抑制方法。
【００２７】
［１３］冷却水の前記加圧は、高熱負荷装置に供給される冷却水の冷却水流速を３ｍ／ｓ〜１０ｍ／ｓの範囲に管理する加圧であり、さらに、高熱負荷装置に供給される冷却水の塩素イオン濃度を３０ｐｐｍ以下の領域で管理する［８］に記載の腐食抑制方法。
【発明の効果】
【００２８】
本発明では、消石灰投入による炭酸カルシウムの析出や薬剤投入によるコスト増等の問題を防ぎつつ、高熱負荷装置の熱交換器における腐食を抑制することができる。
【００２９】
また、本発明では、配管の内面に腐食防止膜を付着させる方法や防食ライニングを施す方法と異なり、恒久的に高熱負荷装置の熱交換器における腐食を抑制することができる。
【００３０】
さらに、本発明では、特に腐食の起こりやすい高熱負荷装置に限定して対策を施せばよいので、設備の施工等に係るコストを低減することができる。
【図面の簡単な説明】
【００３１】
【図１】図１は、本発明に係る循環水式冷却設備のフロー図である。
【図２】図２は、従来例に係る循環水式冷却設備のフロー図である。
【図３】図３は、加熱炉における炉体の冷却設備の一例を示す一部断面図である。
【図４】図４は、加熱炉におけるスキッドの冷却設備の一例を示す断面図である。
【図５】図５は、従来例に係るスキッドにおける冷却水のフロー図である。
【図６】図６は、本発明に係るスキッドにおける冷却水のフロー図である。
【図７】図７は、実施例１における水温と腐食度との関係を示すグラフである。
【図８】図８は、実施例２における水温と腐食度との関係を示すグラフである。
【図９】図９は、冷却水の水温を所望の範囲に調整するための設備を模式的に示す図である。
【図１０】図１０は、冷却水の流速を所望の範囲に調整するための設備を模式的に示す図である。
【図１１】図１１は、冷却水の塩素イオン濃度を所望の範囲に調整するための設備を模式的に示す図である。
【図１２】図１２は、ランゲリア指数と腐食速度の関係およびランゲリア指数とＣａ析出量との関係を示す模式図である。
【図１３】図１３は、高熱負荷装置に供給される冷却水の温度、流速、塩素イオン濃度と、腐食速度との関係を示す模式図である。
【図１４】図１４は、冷却水の水温と腐食速度との関係を示す図である。
【発明を実施するための形態】
【００３２】
以下、本発明の実施形態について説明する。なお、本発明は以下の実施形態に限定されない。
【００３３】
まず、図１を用いて本発明に係る循環水式冷却設備１１について説明する。
【００３４】
循環式冷却設備１１は、第１冷却器２と被冷却装置群１２とを備える。具体的には、第１冷却器２にて冷却された冷却水は、送水ポンプ３によって高架水槽４に収容され、次いで工場における複数の被冷却装置からなる被冷却装置群１２へと送水される。使用後に高温化した冷却水は、沈殿池等の水処理設備１にて凝集・沈殿等の前処理を施された後に第１冷却器２へと戻る。第１冷却器２としては、開放式冷却塔及び閉鎖式冷却塔等を用いることができる。尚、水処理設備１、第１冷却器２、送水ポンプ３、及び高架水槽４等を総称して、循環水処理場１３と称する。なお、冷却水は鋼配管を通る。
【００３５】
被冷却装置群１２の少なくとも一部には、高熱負荷装置１２ａが含まれる。高熱負荷装置１２ａでは、冷却水が比較的高温になるまで熱源との熱交換が行われ、且つ熱源は冷却水による間接冷却を受ける。一例として、高熱負荷装置１２ａでは、熱交換後の出側の冷却水の温度が５０℃〜６０℃程度まで達する。尚、前述した間接冷却では、冷却水が熱源と直接接触せずに、冷却水の通る冷却水配管等の熱交換器を介して冷却水と熱源との間で熱交換が行われる。なお、「高温」とは上記の通り、５０℃〜６０℃が例示されるが、本発明では５０℃以上を高温とする。
【００３６】
このような高熱負荷装置１２ａの一例として、加熱炉の炉体７と、スキッド８とが挙げられる。
【００３７】
まず、炉体７の冷却設備について説明する。具体的には、図３のように、加熱炉の炉壁２１の外側に水冷ジャケット２２が設けられ、該水冷ジャケット２２の内側に冷却水配管２３が敷設される。図３では、加熱炉のみ部分的に断面を示している。鋼配管である冷却水配管２３内を冷却水が通水することで、熱源（炉壁２１）と冷却水とが間接的に熱交換を行い、炉壁２１を形成する鉄板が高温化しすぎることが防止される。また、炉体へのスラブの装入及び抽出を行うための扉に用いられる鉄板についても、図３と同様の機構にて間接冷却が行われる。
【００３８】
次に、スキッド８の冷却設備について説明する。スキッド８は、加熱炉において鋼板の下面を支持する部材である。図４では、スキッド８を鋼板の長手方向と垂直な面で切断した断面図を示す。図４のように、スキッド８はスキッドパイプ８ａとスキッドレール８ｂとを備える。スキッドパイプ８ａは、鋼板の長手方向に延在する筒状部材であり、図示していないが鋼板の幅方向に複数本設けられる。スキッドパイプ８ａの外周には、炉内の高温雰囲気からスキッドパイプ８ａの母材を保護するための耐火断熱材８ｃが設けられる。スキッドレール８ｂは、断熱材の上側に突出し、鋼板の下面と直接接触する。スキッドレール８ｂは、鋼板の長手方向に延在し、鋼板を線状に支持することができる。尚、スキッドレール８ｂの代わりに、鋼板を点状に支持するスキッドボタンが用いられることもある。
【００３９】
高温の鋼板と接することにより、スキッド８も高温となる。スキッドパイプ８ａの内側に冷却水を通水することによって、スキッドパイプ８ａの管壁等を介して、熱源（例えばスキッドレール８ｂ）と冷却水との間で熱交換が起こる。
【００４０】
上述のように、高熱負荷装置１２ａでは、冷却水配管２３やスキッドパイプ８ａの壁面等を介して、冷却水が５０〜６０℃といった高温になるまで熱交換が行われる。冷却水配管２３やスキッドパイプ８ａは、通常、鋼及び銅等の金属によって形成される。冷却水が上述のように高温となる条件下では、冷却水配管２３やスキッドパイプ８ａの内面が腐食しやすい。
【００４１】
ここまでは、図２に示す従来設備と同様である。上記の通り、冷却水の水温が高温になると鋼配管の腐食の問題が生じる。このため、間接冷却および間接冷却後における鋼配管の腐食を防止するために、冷却条件を変化させる腐食防止部が必要になる。本発明は、高熱負荷装置または第１冷却器と高熱負荷装置の間に腐食防止部を有する。鋼の腐食は、冷却水の水温のみならず、冷却水の流速、冷却水の塩素イオン濃度、冷却水のランゲリア指数等の影響を受ける。腐食防止部とは、鋼の腐食に影響を与える条件を、腐食が起きにくい条件に変化させる部である。例えば、冷却水の水温に関しては低温の方が鋼の腐食を抑えられるため、冷却水を冷却する冷却器が腐食防止部になる。より具体的に一例を示すと下記の通りである。
【００４２】
高熱負荷装置１２ａにおいて、冷却水は比較的径の小さい冷却水配管２３やスキッドパイプ８ａ内を通り、流速０〜０．５ｍ／ｓ、圧力０〜０．３ｋｇ／ｃｍ２程度で通水されている。本発明者らの検討によると、このような高熱負荷装置１２ａにおける鋼配管の腐食を防止するには、高熱負荷装置１２ａへ供給される冷却水の温度を低下させること、及び／又は冷却水の流速を上げることが有効であることが見出された。
【００４３】
例えば、非特許文献１では、塩素イオン濃度が２５ｐｐｍ存在する淡水中における鉄鋼の腐食は、流速０．５ｍ／ｓでピークとなることが見出されている（非特許文献１のFig.6(a)等）。また、０〜０．５ｍ／ｓという流速条件下では、鉄鋼材料の腐食反応は酸素の量に律速されており、流速の増加とともに侵食度も増加することが開示されている（非特許文献１における「３．１  塩素イオン濃度２５ｐｐｍの場合」の欄）。つまり、流速が約０．５ｍ／ｓとなっている高熱負荷装置１２ａでは、鉄鋼の腐食速度は著しく大きく、水中の溶存酸素の攪拌速度が律速要因となって鉄鋼の腐食速度が決定されている。この条件下では、鉄の腐食速度は酸素の拡散速度よりも著しく大きいので、腐食面に供給された酸素は直ちに消費される。結果として、鉄鋼の腐食速度は、鋼表面に到達する酸素の量、すなわち酸素の拡散速度に依存する。
【００４４】
また、高温の水は低温の水に比べて、酸素拡散速度が大きいという性質がある。これにより、流速が約０．５ｍ／ｓである高熱負荷装置１２ａの配管中では、水温が上昇すればするほど酸素の拡散速度が上がり、ひいては腐食が促進されることになる。
【００４５】
図２に示される従来例と異なり、本発明では図１に示すように、第１冷却器２及び高架水槽４の後段であって高熱負荷装置１２ａの前段に、少なくとも高熱負荷装置１２ａへ供給される冷却水を選択的に冷却する第２冷却器９、及び／又は少なくとも高熱負荷装置へ供給される冷却水を加圧し、冷却水の流速を上昇させる加圧器１０を備える。尚、図１ではこれら２機とも図示しているが、いずれか１機のみを設けるのであってもよい。また、好ましい冷却条件と加圧条件は以下の通りである。
【００４６】
具体的には、第２冷却器９を用いて、高熱負荷装置１２ａの前段における冷却水の温度を、２０℃〜３０℃程度にすることが好ましい。図１では、高架水槽４からの冷却水の系統が、高熱負荷装置１２ａ側の系統と、それ以外の系統（図１におけるミル冷却設備５及びデスケーリング設備６を含む系統）とに分岐した後の位置（分岐部の後段）に、第２冷却器９を設けることで、高熱負荷装置１２ａに供給する冷却水の温度を、それ以外の系統と異なり選択的に小さくすることができる。これにより、高熱負荷装置１２ａにおける冷却水配管２３やスキッドパイプ８ａの内面における溶存酸素の供給を抑制して、腐食速度をより低減させることができる。尚、第２冷却器９としては、開放式冷却塔及び閉鎖式冷却塔等を用いることができる。なお、上記の分岐は必須ではない。
【００４７】
具体的には、加圧器１０を用いて、高熱負荷装置１２ａの前段における冷却水の流速を、３ｍ／ｓ〜１０ｍ／ｓとし、併せて冷却水の塩素イオン濃度を３０ｐｐｍ以下にすることが好ましい。また、図１のように分岐部の後段に加圧器１０を設けることで、高熱負荷装置１２ａに供給される冷却水のみを選択的に高流速化させることができる。冷却水を高流速化する、つまり高熱負荷装置１２ａにおける流速を０．５ｍ／ｓ超とすることによって、多量の溶存酸素を供給することができ、冷却水配管２３及びスキッドパイプ８ａの内面に緻密な酸化皮膜を形成させることができる。これにより、自己防食がなされ、冷却水配管２３やスキッドパイプ８ａ等における腐食速度を低減させることができる。なお、上記の分岐は必須ではない。
【００４８】
以上の通り、腐食防止部の一例として、第１冷却器の後段であって且つ高熱負荷装置の前段に配置された、高熱負荷装置へ供給される冷却水を冷却する第２冷却器や、第１冷却器の後段であって且つ高熱負荷装置の前段に配置された、少なくとも高熱負荷装置へ供給される冷却水を加圧する加圧器が挙げられる。
【００４９】
このように冷却水を調整することが有効であることから、図９に示す通り、第２冷却器９を有する循環水式冷却設備では、鋼配管内の冷却水の水温を測定する水温測定部１４と、高熱負荷装置へ供給される冷却水を冷却する上記第２冷却器９と、水温測定部の測定結果に基づいて鋼配管内の水温が所望の水温になるように第２冷却器の冷却条件を調整する冷却条件調整部１５と、を有することが好ましい。本実施形態において、水温測定部１４は、温度計等の温度測定手段から構成され、被冷却装置群１２を構成するミル冷却設備５、デスケーリング設備６、炉体７およびスキッド８の直下に設けられる。本実施形態において、冷却条件調整部１５は、水温測定部１４の近傍に配置されるバルブである。バルブの開閉により、ミル冷却設備５、デスケーリング設備６、炉体７およびスキッド８に入る冷却水の流量を調整できる。温度が低い設備に入る冷却水の流量を少なくし、温度が高い設備に入る冷却水の流量を多くすることで、温度調整ができるため、各部から排出される冷却水の温度が２０〜３０℃になるように温度管理を行うことができる。
【００５０】
また、上記の通り、冷却水の流速を調整することが有効であることから、加圧器１０を有する循環水式冷却設備では、図１０に示す通り、鋼配管内の冷却水流速を測定する流速測定部１６と、高熱負荷装置へ供給される冷却水を加圧する上記加圧器１０と、流速測定部の測定結果に基づいて鋼配管内の冷却水流速が所望の冷却水流速になるように冷却水の流量を調整する流量調整部１７と、を有することが好ましい。本実施形態において、流速測定部１６は、流量計から構成され、被冷却装置群１２を構成するミル冷却設備５、デスケーリング設備６、炉体７およびスキッド８の直下に設けられる。流量調整部１７は、流速測定部１６の近傍に配置されるバルブである。このバルブの開閉により、ミル冷却設備５、デスケーリング設備６、炉体７およびスキッド８に入る冷却水の流量を調整できる。例えば、炉体７を通る冷却水の流速が遅く、スキッド８を通る冷却水の流速が速い場合には、スキッド８の直下のバルブを閉側に変化させ、炉体７の直下のバルブを開側に変化させることで、流量調整により、流速調整ができるため、各部から排出される冷却水の流速を３ｍ／ｓ〜１０ｍ／ｓの範囲に管理することができる。また、流速の管理は、満水法によっても行うことができる。満水法とはバケツ等の定量容器に満水になるまでの排水時間を測定し流量を計測、配管径から流速を算出する方法である。
【００５１】
次に、高熱負荷装置１２ａの一例であるスキッド８における冷却水のフローについて説明する。なお、スキッド８の冷却水が通る部分が鋼配管に相当する。
【００５２】
図５には従来例として、Ａ列〜Ｆ列までの６本のスキッドにおける冷却水のフロー図を示す。尚、これら複数のスキッドは、それぞれ鋼板の幅方向に配列されている。従来の設備では、高架水槽から供給された冷却水は、Ｃ列とＤ列のスキッドの間で分岐する。Ｃ列のスキッドパイプの内側を通水された冷却水は、次いでＢ列及びＡ列のスキッドパイプの内側を順に通水された後に、水処理設備１へ戻る。一方で、Ｄ列のスキッドパイプの内側を通水された冷却水は、次いでＥ列及びＦ列のスキッドパイプの内側を順に通水された後に、水処理設備１へ戻る。
【００５３】
このように、Ｃ列、Ｂ列、及びＡ列（又はＤ列、Ｅ列、Ｆ列）のスキッドパイプではそれぞれ直列に冷却水が通水されていく。これにより、冷却水が高架水槽４から水処理設備１へ戻るまでの通水距離、及びスキッドパイプの内側で熱交換を行う部分の長さが長くなるという問題がある。特に、下流側に位置するＡ列（又はＦ列）のスキッドパイプの内側では、比較的高温の冷却水が通水されることになり、腐食がより起こりやすい状態となる。
【００５４】
本発明では、図６に示すように、各スキッドパイプに並列に冷却水を供給することが好ましい。具体的には、高架水槽４から、スキッドパイプ毎に配管を分岐させて冷却水を供給する。Ａ列〜Ｆ列のスキッドパイプにそれぞれ供給された冷却水は、それぞれのスキッドパイプの冷却に用いられた後に他のスキッドパイプの冷却用に再利用されることなく、水処理設備１へと戻される。このように冷却水を並列に供給することによって、冷却水が高架水槽４から水処理設備１へ戻るまでの通水距離、及びスキッドパイプの内側で熱交換を行う部分の長さを短くすることができる。よって、スキッドパイプの内側において冷却水温が高温化することを抑制し、溶存酸素の供給を抑制することでスキッドパイプの腐食速度を低減させることができる。
【００５５】
以上の通り、腐食防止部の一例として、高熱負荷装置に含まれる加熱炉における、並列に冷却水が供給される複数のスキッドを挙げることができる。
【００５６】
尚、上記においてはスキッドの冷却設備における冷却水の冷却系統を並列化、細分化させることについて説明してきたが、同様の思想を炉体の冷却設備についても応用することができる。すなわち、加熱炉の周囲に配された冷却水配管を並列に分岐させることで細分化し、それぞれの冷却系統の通水距離及び熱交換する部分の長さを短くすることによって、冷却水配管における腐食を抑制することができる。
【００５７】
また、冷却水の塩素イオン濃度が高いと、鋼が腐食するため、図１１に示すように、冷却水の塩素イオン濃度を低下させる脱塩素装置１８も腐食防止部として挙げられる。塩素イオン濃度は、３０ｐｐｍ以下にすることが好ましい。塩素イオン濃度を３０ｐｐｍ以下に管理するために、例えば、定期的に採水を行い、塩素イオン濃度を測定する方法がある。
【００５８】
また、冷却水の流速を３ｍ／ｓ〜１０ｍ／ｓにする流速管理を行う場合には、冷却水の塩素イオン濃度を低くすることが重要であるため、鋼配管内の冷却水流速を測定する流速測定部１６と、高熱負荷装置へ供給される冷却水を加圧する上記加圧器１０と、流速測定部の測定結果に基づいて鋼配管内の冷却水流速が所望の冷却水流速になるように流量を調整する流量調整部１７と、を有する設備の場合には、この設備が、さらに、冷却水に含まれる塩素イオン濃度を低下させる上記脱塩素装置１８を有することが特に好ましい。
【００５９】
また、ランゲリア指数が低すぎると、Ｃａが析出せず、鋼が腐食しやすくなる。また、ランゲリア指数が高すぎるとＣａが析出し過ぎるため配管つまりの問題が生じる。このため、ランゲリア指数が特定の範囲に管理することが好ましい。ランゲリア指数を高くするための手段としては、アルカリ塩の添加、例えば、ソーダ塩（ソーダ灰、苛性ソーダ）の添加、カルシウム塩（消石灰）添加がある。また、ランゲリア指数を低くするための手段としては、酸添加、例えば、炭酸ガス、塩酸、硫酸等の添加がある。これらの手段を備えた設備とすることで、ランゲリア指数を所望の範囲に管理することができる。また、ランゲリア指数の好ましい範囲は、図１２に示す通り、−０．３〜＋０．３である。なお、ランゲリア指数とは、水中の溶存炭酸カルシウムの析出傾向であり、次式の平衡でどちらに傾くかで判断する。なお、図１２は模式図である。
ＣａＣＯ３＋Ｈ＋(スケール性)⇔Ｃａ２＋＋ＨＣＯ３−(腐食性)
ランゲリア飽和指数（ＬＳＩ）  ＬＳＩ＝ｐＨ−ｐＨｓ
ここでｐＨ:実際の水のｐＨ
ｐＨｓ:採試水と固体の炭酸カルシウムが共存する平衡ｐＨ値
すなわち、実測値の水のｐＨから理論値の水のｐＨを差し引いて、その正負によりスケール生成か腐食性の傾向にあるかを推定するものであり、ＬＳＩ＞０のときスケール傾向となりＬＳＩ＜０のとき腐食傾向といえる。
【００６０】
以下、本発明の効果について具体的に説明する。
【００６１】
本発明の循環水式冷却設備は、冷却水によって冷却を受ける被冷却装置群と、前記被冷却装置群から戻された冷却水を冷却した後に前記被冷却装置群へと供給する第１冷却器と、を備えた循環水式冷却設備であり、被冷却装置群の少なくとも一部には、鋼配管を通る冷却水と被冷却装置との間で熱交換器を介した間接冷却が行われ、熱交換後の冷却水の水温が高温となる高熱負荷装置が含まれる。このため、本発明は、上記の通り、間接冷却および間接冷却後における鋼配管の腐食の問題が生じる構成を有するが、冷却水の条件を鋼が腐食しにくい条件に変化させる腐食防止部を有するため、この問題を解消できる。
【００６２】
また、腐食防止部は、高熱負荷装置または第１冷却器と高熱負荷装置の間に設けられる。このため、腐食の起こりやすい箇所に限定して条件を変更すればよいため、対策コストを低減できる。
【００６３】
図１３には、高熱負荷装置に供給される冷却水の温度、流速、塩素イオン濃度と、腐食速度との関係を示す模式図である（４０℃の場合、３０℃の場合については流速が速い領域でのグラフを省略したが、５０℃と同様の傾向である）。流速および塩素イオン濃度が同じであれば、流速および塩素イオン濃度の具体的な値によらず、冷却水の温度と腐食との間に一定の傾向がある。また、水温と塩素イオン濃度が同じであれば、水温と塩素イオン濃度の具体的な値によらず、流速と腐食との間に一定の傾向がある。また、水温と流速が同じであれば、これらの具体的な値によらず、塩素イオン濃度と腐食との間に一定の傾向があることが分かる。このことから、高熱負荷装置に供給される冷却水の温度、流速、塩素イオン濃度いずれかの調整により、腐食を抑える効果は得られる。
【００６４】
高熱負荷装置に供給される冷却水の温度、流速、塩素イオン濃度いずれかの調整により、腐食を抑える効果が得られることから、冷却水の温度上昇による腐食は、冷却水の温度を抑えることで抑制できるといえる。したがって、第１冷却器の後段であって且つ高熱負荷装置の前段に配置された、少なくとも高熱負荷装置へ供給される冷却水を冷却する第２冷却器を腐食防止部としたり、高熱負荷装置の少なくとも一部である加熱炉における並列に冷却水が供給される複数のスキッドを腐食防止部としたりすることで、間接冷却やその間接冷却後の冷却水の温度を低くできるため、冷却水の高温化による腐食を抑えられる。
【００６５】
特に、上記第２冷却器と、並列に冷却水が供給される上記複数スキッドとの両方を備えれば、第２冷却器により、高温付加装置に供給される冷却水の温度を下げられ、さらに、上記スキッドにより冷却水を並列に供給することで高温付加装置において冷却水の温度が上がりにくくなる。このため、上記第２冷却器と、並列に冷却水が供給される上記複数スキッドとの両方を備えれば、鋼配管腐食抑制効果をさらに高めることができる。
【００６６】
また、許容できる腐食の程度によって、必要な冷却水の温度は異なるが、図１４から、高熱負荷装置に供給される冷却水の水温が２０〜３０℃であることが鋼の腐食を抑える観点から好ましいことが分かる。鋼配管内の冷却水の水温を測定する水温測定部と、高熱負荷装置へ供給される冷却水を冷却する上記第２冷却器と、水温測定部の測定結果に基づいて鋼配管内の水温が所望の水温になるように第２冷却器の冷却条件を調整する冷却条件調整部と、を有する構成であれば、冷却水の水温が特定の範囲（例えば上記２０〜３０℃）になるように容易に管理することができる。
【００６７】
また、図１３から、不動態化領域に入るまで流速を速くすれば、腐食の程度を抑えられる。即ち、冷却水の温度上昇による腐食は、高熱負荷装置に供給される冷却水の流速によって調整できることが分かる。したがって、第１冷却器の後段であって且つ高熱負荷装置の前段に配置された、少なくとも高熱負荷装置へ供給される冷却水を加圧する加圧器により、冷却水の温度上昇による腐食を抑えることができる。また、加圧器があれば、酸素拡散律速領域で、流速を低くして腐食を抑えるか、不動態化領域に入るまで流速を速くして、腐食を抑えるかの選択をすることができる。このため、例えば、塩素イオン濃度は高い場合には、酸素拡散律速領域で、流速を低くして腐食を抑え、塩素イオン濃度が低い場合には、不動態化領域に入るまで流速を速くして、腐食を抑えるという選択を行える。
【００６８】
また、図１３に示す通り、冷却水の塩素イオン濃度を３０ｐｐｍ以下に抑えれば、冷却水の流速を高めることが有効である。したがって、第１冷却器の後段であって且つ高熱負荷装置の前段に配置された、少なくとも高熱負荷装置へ供給される冷却水を加圧する加圧器を備えるとともに、さらに、冷却水に含まれる塩素イオン濃度を低下させる脱塩素装置を備えることで、より効果的に鋼配管の腐食を抑えることができる。
【００６９】
上記の加圧器を用いる対策と、第２冷却器を設ける対策とを併用することができる。また、上記の加圧器を用いる対策と、並列に冷却水を供給する上記スキッドの対策とも併用できる。これらを併用することでより高い腐食防止効果が得られる。なお、上記の加圧器を用いる対策と、第２冷却器を設ける対策と、並列に冷却水を供給する上記スキッドの対策の全てを施せばさらに高い効果が得られる。
【００７０】
上記のランゲリア指数が低すぎると、Ｃａが析出せず、鋼が腐食しやすくなる。また、ランゲリア指数が高すぎるとＣａが析出し過ぎるため配管つまりの問題が生じる。図１２に示す通り、ランゲリア指数を特定の範囲に調整すれば、適度にＣａが析出して、鋼の腐食が抑えられるとともに、配管詰まりの問題も生じない。
【００７１】
また、ランゲリア指数を用いる対策を、上記の加圧器を用いる対策、第２冷却器を設ける対策及び並列に冷却水を供給する上記スキッドの対策の少なくとも１つと併用すれば、さらに、腐食防止効果を高められる。
【実施例】
【００７２】
以下の実施例により、冷却水の水温が腐食速度に及ぼす影響を評価した。
（実施例１）
製鉄所内の異なる環水（冷却塔内の冷却水）系統Ａ〜Ｄから採取した試料水中にＳＳ４００を加工した試験片を２日間浸漬し、試験前後の質量差から腐食速度（ＭＤＤ）を求めた。試料水は、恒温水槽により水温の固定管理が可能であり、スターラーを用いて攪拌により流速を付与することが可能となっている。試験では、流速を全て０．６ｍ／ｓに固定し、水温を変化させた。
【００７３】
結果を図７に示す。図７のように、水温が５０℃の場合よりも３０℃の場合の方の腐食速度が小さく、高熱負荷装置の前段に第２冷却器を設けることの有用性が示された。
（実施例２）
製鉄所内の異なるスキッド冷却系統Ａ〜Ｄで使用される冷却水を用いて、実施例１と同様の実験を行った。冷却水に浸漬させる試験片としては、それぞれの冷却系統におけるスキッドと同様の組成の金属片を用いた。
【００７４】
結果を図８に示す。図８の結果では、総じて水温が高い条件よりも低い条件の方が、腐食速度が小さく、高熱負荷装置の前段に第２冷却器を設けることの有用性が示された。
【００７５】
（実施例３）
実施例１の第２冷却器を加圧器に変更した以外は、実施例１と同様に実験を行った。実施例１と同様の評価したところ、加圧器を設けることの有用性が示された。
（実施例４）
図９に示すように、水温測定部と、冷却条件調整部とを設けた以外は実施例１と同様の設備を用いて、高熱負荷装置に供給される水温が２０〜３０℃になるように管理した。その結果、優れた腐食防止効果が安定して得られた。
【００７６】
（実施例５）
実施例３の設備に、図１０に示すように、流速測定部と、流速測定部の測定結果に基づいて鋼配管内の冷却水流速が所望の冷却水流速になるように流量を調整する流量調整部と、をさらに設け、図１１に示す冷却水に含まれる塩素イオン濃度を低下させる脱塩素装置をさらに設けた設備とし、高熱負荷装置に供給される冷却水の冷却水流速を３ｍ／ｓ〜１０ｍ／ｓの範囲になるように管理し、高熱負荷装置に供給される冷却水の塩素イオン濃度を３０ｐｐｍ以下の領域で管理した。その結果、優れた腐食防止効果が安定して得られた。
【００７７】
（実施例６）
カルシウム塩添加という方法で、高熱負荷装置に供給される冷却水のランゲリア指数を種々変更して実験を行った。その結果、ランゲリア指数が−０．３〜＋０．３の範囲にあれば、腐食防止効果と配管詰まり防止効果の両立ができることが確認された。
【符号の説明】
【００７８】
１          水処理設備
２          第１冷却器
３          送水ポンプ
４          高架水槽
５          ミル冷却設備
６          デスケーリング設備
７          炉体
８          スキッド
８ａ      スキッドパイプ
８ｂ      スキッドレール
８ｃ      耐火断熱材
９          第２冷却器
１０          加圧器
１１          循環水式冷却設備
１２          被冷却装置群
１２ａ      高熱負荷装置
１３          循環水処理場
１４          水温測定部
１５          冷却条件調整部
１６          流速測定部
１７          流量調整部
１８          脱塩素装置
２１          炉壁
２２          水冷ジャケット
２３          冷却水配管
【図１】
2018091608.tif 000003
【図２】
2018091608.tif 000004
【図３】
2018091608.tif 000005
【図４】
2018091608.tif 000006
【図５】
2018091608.tif 000007
【図６】
2018091608.tif 000008
【図７】
2018091608.tif 000009
【図８】
2018091608.tif 000010
【図９】
2018091608.tif 000011
【図１０】
2018091608.tif 000012
【図１１】
2018091608.tif 000013
【図１２】
2018091608.tif 000014
【図１３】
2018091608.tif 000015
【図１４】
2018091608.tif 000016